(57)【特許請求の範囲】
【請求項１】
電気機器収納箱の筐体の換気口に対応した開口部を有し、筐体の外面に取付けられるベース部材と、前記ベース部材の開口部に対し外側から取り付けられるルーバユニットと、前記開口部を覆うように前記ルーバユニット内に介装されるフィルタとを備えるルーバ換気装置であって、
ルーバユニットの背面側にはフィルタを内部に支持する支持枠部を形成し、
前記ベース部材の前記開口部の下端に、前記支持枠部に対して所定の間隔をおいて立ち上がる止水部を設けたことを特徴とするルーバ換気装置。
【請求項２】
前記止水部の上端部に、前記ルーバユニットに向かうにつれて下がるように傾斜する傾斜面を形成したことを特徴とする、請求項１に記載のルーバ換気装置。
【請求項３】
前記止水部が、前記ベース部材の前記筐体への取付面に対して外側またはその同一面上に形成されていることを特徴とする、請求項１または２に記載のルーバ換気装置。
【請求項４】
前記ベース部材の前記開口部の少なくとも左右の外側端縁を、前記ルーバユニットに向かって広がる面取形状としたことを特徴とする、請求項１〜３の何れかに記載のルーバ換気装置。
【発明の詳細な説明】
【技術分野】
【０００１】
本発明は、電気機器収納箱等に外付けされるルーバ換気装置に関する。
【背景技術】
【０００２】
従来、屋外に設置される電気機器収納箱においては、筐体に設けられる換気口の防塵および防水性能を確保したフード付きのルーバ換気装置が備えられている。例えば特許文献１には、ルーバの通気を妨げないように、ルーバの通風部よりも大きな背面開口部を有するフードの構造が開示されている。そして、フードとルーバとの接合部分を伝わって筐体内に水が浸入しないように、フードの背面開口部周囲にパッキン等の防水対策が施されている。
【先行技術文献】
【特許文献】
【０００３】
【特許文献１】実開平０６−１３３０４号公報
【発明の概要】
【発明が解決しようとする課題】
【０００４】
しかし、嵐などの強い風雨がルーバに吹き付けられると、その雨水がルーバ（羽根板）の間を抜け、ルーバの背面やフィルタにまで達する場合がある。そして、例えばフィルタに含んだ水がルーバの背面に伝わって流れ落ち、筐体内部へと浸入するおそれがある。
【０００５】
そこで、本発明は、このようなルーバの背面にまで達した水が電気機器収納箱の筐体内部へ浸入するのを効果的に防ぐ、ルーバ換気装置を提供することを目的としている。
【課題を解決するための手段】
【０００６】
上記課題を解決するため、本発明は、電気機器収納箱の筐体の換気口に対応した開口部を有し、筐体の外面に取付けられるベース部材と、前記ベース部材の開口部に対し外側から取り付けられるルーバユニットと、前記開口部を覆うように前記ルーバユニット内に介装されるフィルタとを備えるルーバ換気装置であって、ルーバユニットの背面側にはフィルタを内部に支持する支持枠部を形成し、前記ベース部材の前記開口部の下端に、前記支持枠部に対して所定の間隔をおいて立ち上がる止水部を設けたことを特徴とする。
【０００７】
この構成のルーバ換気装置によれば、ベース部材の開口部の下端に設けた止水部により、ルーバユニットの背面を伝わる水が筐体側へ浸入するのを防ぐことができる。
【０００８】
上記構成のルーバ換気装置において、前記止水部の上端部に、前記ルーバユニットに向かうにつれて下がるように傾斜する傾斜面を形成することが好ましい。
【０００９】
この構成によれば、止水部に付着した水が傾斜面を伝わりルーバユニット側に流下するので、筐体側への水の浸入をより効果的に防ぐことができる。
【００１０】
また、前記止水部が、前記ベース部材の前記筐体への取付面に対して外側またはその同一面上に形成されていることが好ましい。
【００１１】
この構成によれば、図示しないファン等の内部機器を換気装置に取り付ける場合に、止水部が干渉することはない。
【００１２】
また、前記ベース部材の前記開口部の少なくとも左右の外側端縁を、前記ルーバユニットに向かって広がる面取形状とすることが好ましい。
【００１３】
この構成によれば、ベース部材の開口部の端縁とルーバユニットとの間に縦溝が形成されるので、その縦溝に水滴を集め流下させることができる。したがって、水の浸入をより効果的に防ぐことができる。
【発明の効果】
【００１４】
本発明のルーバ換気装置によれば、ルーバユニットの背面を伝わって電気機器収納箱の筐体内部へ水が浸入するのを効果的に防ぐことができる。
【図面の簡単な説明】
【００１５】
【図１】ルーバ換気装置を前上方から見た斜視図である。
【図２】ルーバ換気装置を後上方から見た斜視図である。
【図３】ルーバ換気装置の分解斜視図である。
【図４】カバー部材を後上方から見た斜視図である。
【図５】ベース部材を前上方から見た斜視図である。
【図６】ルーバユニットを前上方から見た斜視図である。
【図７】ルーバユニットを後上方から見た斜視図である。
【図８】ベース部材およびルーバユニットの一部を切断した縦断面を示す斜視図である。
【図９】図８の断面の一部を拡大して示す図である。
【図１０】ベース部材およびルーバユニットの一部を切断した横断面を示す斜視図である。
【図１１】図１０の円内を拡大して示す図である。
【発明を実施するための形態】
【００１６】
本発明に係るルーバ換気装置の好適な実施形態を、以下図面を参照して説明する。図１は、本発明の一実施形態によるルーバ換気装置１０であり、前上方から見た斜視図である。図２はそのルーバ換気装置１０を後上方から見た斜視図である。図３は、ルーバ換気装置１０の分解斜視図である。ルーバ換気装置１０は、屋外等に設置される電気機器収納箱の換気口に取り付けられ、風雨や埃が筐体内に吹き込まないようにするためにフード状のカバー部材２０を備えている。
【００１７】
図３に示すように、ベース部材３０は、電気機器収納箱の筐体９０の外面に取り付けられる取付基板である。ベース部材３０と筐体９０との間には、例えば防水性のパッキン６０が介装される。本実施形態では、ベース部材３０の前面（外側に相当）に、フィルタ５０を保持するルーバユニット４０が設けられ、ルーバユニット４０を覆うカバー部材２０が、前方からベース部材３０に着脱可能に取り付けられる。フィルタ５０は、ベース部材３０の開口部３１を覆う位置で、ルーバユニット４０内に介装される。
【００１８】
カバー部材２０は、その背面側がベース部材３０の前面側に係合することで、ベース部材３０に装着される。ここで、図４にカバー部材２０の背面側の構造を示し、図５にベース部材３０の前面側の構造を示す。
【００１９】
カバー部材２０は、例えば合成樹脂により一体成型される部材であり、上板部２０ａ、側板部２０ｂ、２０ｂ、前傾斜板部２０ｃを備え、裏面側および下部側が開放された、いわゆるフード状の形態を有している。カバー部材２０をベース部材３０の開口部を覆うように装着すると、当該カバー部材２０の下部に、左側板部２０ｂ、前傾斜板部２０ｃ、右側板部２０ｂおよびベース部材３０で囲われる通気用の開口が画成される。
【００２０】
カバー部材２０の側板部２０ｂ、２０ｂの下部後端隅部には、嵌合凹部２２、２２がそれぞれ形成されている。嵌合凹部２２は、側板部２０ｂの側面の一部と前面の一部が四角に切り欠かれた形状となっている。また、カバー部材２０の側板部２０ｂ、２０ｂには、嵌合凹部２２、２２に隣接して互いに開放部２１内に向かって突出する突起片２３、２３が形成されている。
【００２１】
カバー部材２０の内壁には、左側板部２０ｂ、前傾斜板部２０ｃおよび右側板部２０ｂに亘り突出する補強リブ２４が形成されている。補強リブ２４は、カバー部材２０の下端から突起片２３の高さに相当する高さ位置に形成される。補強リブ２４の端部は突起片２３、２３に接続しておらず、それらの間には間隙２５が設けられている。このような補強リブ２４により、カバー部材２０全体の強度を確保するとともに、後述するようにカバー部材２０の着脱に際して押圧されたときの側板部２０ｂ、２０ｂの弾性変形をある程度許容している。
【００２２】
ベース部材３０は、中央に通気用の開口部３１を有する略台形状の取付板部３２を有する合成樹脂製の部材からなる。ベース部材３０の左右両端の下方部には、嵌合凸部３３、３３が形成されている。これら嵌合凸部３３、３３に、カバー部材２０の側板部２０ｂ、２０ｂの隅部に形成した嵌合凹部２２、２２を係合させることで、カバー部材２０がベース部材３０に着脱可能に装着される。
【００２３】
また、ベース部材３０には、上述したカバー部材２０の突起片２３、２３を案内するフランジ状のガイド部３４が形成されている。ガイド部３４は、取付板部３２の前方側に当該取付板部３２の側辺および上辺に沿い、それらと一定の距離だけ離間して対向している。ガイド部３４の左右両下端は、ベース部材３０の底板部（覆い部）３５に接続しており、その接続部分が規制片３６、３６となっている。
【００２４】
カバー部材２０の嵌合凹部２２、２２にベース部材３０の嵌合凸部３３、３３を係合させた装着位置では、カバー部材２０の突起片２３、２３が、ベース部材３０の規制片３６、３６に係止した状態にある。そのため、カバー部材２０の前方への移動、つまり取り外しが規制される。
【００２５】
また、ガイド部３４において、規制片３６、３６よりも上方であって、かつ、嵌合凸部３３、３３よりも若干上方の位置に切欠き部３７、３７が形成されている。
【００２６】
ベース部材３０の開口部３１の周辺の２箇所には、ルーバユニット４０を仮止めするため先端に鈎状の返しを有する係止片３８、３８が突出形成されている。更に、開口部３１周辺の四隅には、仮止めしたルーバユニット４０とともにベース部材３０を電気機器収納箱の筐体９０にネジ９１、９１、・・・で固定するためのネジ穴３９、３９、・・・が形成されている。
【００２７】
図６は、ルーバユニット４０を前上方から見た斜視図である。図７は、ルーバユニット４０を後上方から見た斜視図である。ルーバユニット４０は、前面側に複数枚のガラリ（羽根板）４１、４１を有し、背面の支持枠部４２でフィルタ５０が内部に支持されている。ルーバユニット４０の背面四隅には、インサートナット４３、４３、・・・が形成されている。
【００２８】
かかる構成のルーバ換気装置１０を電気機器収納箱の筐体９０へ取り付ける方法について説明する。
【００２９】
（ベース部材の取付）
先ず、ベース部材３０のネジ穴８０にネジ９２を前方から挿入し、筐体９０のタップ孔９３にネジ９２を螺入することにより、ベース部材３０が外側から筐体９０にネジ止めされる。
【００３０】
（ルーバユニットの設置）
次に、ルーバユニット４０の背面側を、ベース部材３０の係止片３８、３８に係止して仮止めしておき、筐体９０の内側から複数（４本）のネジ９１を、ネジ穴９４、３９に挿入し、最後にルーバユニット４０のインサートナット４３に螺入することにより、ルーバユニット４０およびベース部材３０が同時に筐体９０にしっかりと本締めされる。
【００３１】
なお、ルーバユニット４０をベース部材３０に仮止めした状態で、ベース部材３０をネジ９２で外側から筐体９０に一次的に固定した後、筐体９０の内側からネジ９１でルーバユニット４０およびベース部材３０を筐体９０に本締めしてもよい。
【００３２】
（カバー部材の装着）
カバー部材２０をベース部材３０に装着するには、先ず、カバー部材２０の突起片２３、２３を切欠き部３７、３７の外側を通してガイド部３４の奥に設置し、側板部２０ｂ、２０ｂを押圧して内側に撓ませながらカバー部材２０を下方に移動させる。そしてカバー部材２０の下部とベース部材３０の底板部（覆い部）３５とが当接する装着位置で押圧を開放することで嵌合凸部３３と嵌合凹部２２とが係合し、これによりカバー部材２０がベース部材３０に容易に装着される。
【００３３】
図８は、ベース部材３０およびルーバユニット４０の一部を切断した縦断面を示す斜視図である。図９は、その断面の一部を拡大して示す図である。
【００３４】
本実施形態では、ベース部材３０の開口部３１の内側下端に、フィルタ５０の内側面に対向して所定の間隔をおいて立ち上がる止水部７１を設けている。ルーバユニット４０に収容されるフィルタ５０が雨水や結露により水分を含むと、ルーバユニット４０の背面の支持枠部４２に伝わって流下する場合がある。本実施形態では、支持枠部４２と間隔をおいて立ち上がる止水部７１により、支持枠部４２の背面上を伝わる水を堰き止め、筐体９０側に流れるのを防ぐことができる。なお、止水部７１により堰き止められた水は、戻し部７３により、再びフィルタ５０に戻される。そして、ルーバユニット４０の下方は外側に向けて傾斜させた排水路４４となっているため、フィルタ５０より滴下した水は排水路４４を介して外部に排水される
【００３５】
また、特に図９に示すように、止水部７１の上端部に、ルーバユニット４０に向かうにつれて下がるように傾斜する傾斜面７２が形成されている。これにより、止水部７１に付着した水がルーバユニット４０側に流下し、筐体９０側への水の浸入をより効果的に防ぐことができる。
【００３６】
また、止水部７１は、ベース部材３０の筐体９０への取付面３０ａに対して外側またはその同一面上に形成されている。これにより、図示しないファン等の内部機器を筐体９０内部に配置し、ベース部材３０と内部機器でネジ穴３９、３９、・・・を介して筐体９０に共締めして取り付ける場合でも、筐体９０内部に取り付ける内部機器に止水部７１が干渉することはない。
【００３７】
図１０は、ベース部材３０およびルーバユニット４０の一部を切断した横断面を示す斜視図である。図１１は、図１０の円内の断面を拡大して示す図である。これらの図に示すように、本実施形態では、ベース部材３０の開口部３１の少なくとも左右両外側端縁を、ルーバユニット４０に向かって広がる面取３１ａの形状としている。これにより、開口部３１の左右両外側の端縁とルーバユニット４０のフレームとの間にＶ字状の縦溝が形成され、その溝に水滴を集め流下させることができる。したがって、筐体９０側への水の浸入をより効果的に防ぐことができる。
【符号の説明】
【００３８】
１０  ルーバ換気装置
２０  カバー部材
２１  開放部
２２  嵌合凹部
２３  突起片
２４  補強リブ
３０  ベース部材
３１  開口部
３２  取付板部
３３  嵌合凸部
３４  ガイド部
３５  底板部
３６  規制片
３７  切欠き部
３８  係止片
３９  ネジ穴
４０  ルーバユニット
４１  ガラリ
４２  支持枠部
４３  インサートナット
４４  排水路
５０  フィルタ
６０  パッキン
７１  止水部
７２  傾斜面
９０  筐体
【図１】
0006719814.tif 000002
【図２】
0006719814.tif 000003
【図３】
0006719814.tif 000004
【図４】
0006719814.tif 000005
【図５】
0006719814.tif 000006
【図６】
0006719814.tif 000007
【図７】
0006719814.tif 000008
【図８】
0006719814.tif 000009
【図９】
0006719814.tif 000010
【図１０】
0006719814.tif 000011
【図１１】
0006719814.tif 000012